(57)【要約】【課題】１つのリモートコントローラを用いて簡単な操作により複数のＡＶ機器を関連付けて同時に操作可能なリモコン装置を実現する。【解決手段】制御部２０は、ＴＶ受像機２のリモコン学習モードボタン１０ａの押下操作によってＴＶ受像機２をリモコン学習モードに切り換える。次に、ＶＴＲ用リモコン４の「再生」ボタンの押下操作によってリモコン送信部４ａから再生コード信号を送信する。このＶＴＲ用リモコン４からの再生コード信号をＴＶ受像機２のリモコン受信部２ｄにより受信し、制御部２０は、受信した再生コード信号をデコーダ２１によりデコードしてメモリ２２に格納して記憶する。次に、ＴＶ用リモコンを用いてリモコン命令設定画面をＴＶ受像機２の表示画面２ｂに表示させ、「ＴＶ受像」が選択決定されることにより、制御部２０は、停止コード信号をＴＶ受像機２の「ＴＶ受像」に割り当てる。【選択図】図３
2005198036.tif 000002
【特許請求の範囲】
【請求項１】
複数の信号入力端子を有し、これら入力端子に供給された信号のいずれかを選択して出力するスイッチ手段を備えたテレビジョン受像機と、前記信号入力端子のいずれかに接続された外部映像機器とをリモコン操作するためのリモコン装置であって、
前記テレビジョン受像機の動作を制御可能な第１のリモートコントローラと、前記信号入力端子に接続された外部映像機器の動作を制御可能な第２のリモートコントローラと、
前記複数の信号入力端子に供給された信号の内、どの信号を選択出力するかを設定する設定手段と、
前記テレビジョン受像機に設けられ、前記第２のリモートコントローラから特定のリモコン信号を受信したとき、前記スイッチ手段を前記設定された状態に切り換えるための入力選択信号に変換して出力する信号生成手段とを具備し、
前記第２のリモートコントローラから前記特定のリモコン信号が送信されたとき、前記特定のリモコン信号によって前記外部映像機器の動作を制御するとともに、前記入力選択信号によって前記スイッチ手段を前記設定された状態に切り換えるようにしたことを特徴とするリモコン装置。
【請求項２】
前記外部映像機器は録画再生機能を有する機器であり、前記第２のリモートコントローラからの特定のリモコン信号は、前記外部映像機器の再生を指示する信号であり、前記入力選択信号は、前記外部映像機器によって再生された信号を前記テレビジョン受像機で表示するように前記スイッチ手段を切り換える信号であることを特徴とする請求項１に記載のリモコン装置。
【請求項３】
前記外部映像機器は録画再生機能を有する機器であり、前記第２のリモートコントローラからの特定のリモコン信号は、前記外部映像機器の動作停止を指示する信号であり、前記入力選択信号は、前記外部映像機器からの信号に代えて前記テレビジョン受像機で受信した信号を前記テレビジョン受像機で表示するように前記スイッチ手段を切り換える信号であることを特徴とする請求項１に記載のリモコン装置。
【請求項４】
複数の信号入力端子を有し、これら入力端子に供給された信号のいずれかを選択して出力するスイッチ手段を備えたテレビジョン受像機と、前記信号入力端子のいずれかに接続された外部映像機器とをリモコン操作するためのリモコン装置であって、
前記テレビジョン受像機の動作を制御可能な第１のリモートコントローラと、前記外部映像機器の動作を制御可能な第２のリモートコントローラと、
前記第１のリモートコントローラからの入力選択信号に応答して、前記外部映像機器からの信号を選択出力するように前記スイッチ手段を制御する制御手段と、
前記外部映像機器に設けられ、前記第１のリモートコントローラから前記入力選択信号を受信したとき、前記外部映像機器を所定の動作状態に指示する信号に変換して出力する信号生成手段とを具備し、
前記第１のリモートコントローラから前記入力選択信号が送信されたとき、前記テレビジョン受像機のスイッチ手段は前記外部映像機器からの信号を選択出力するように切り換わるとともに、前記外部映像機器が所定の動作を実行するようにしたことを特徴とするリモコン装置。
【請求項５】
前記外部映像機器は録画再生機能を有する機器であり、前記外部映像機器を所定の動作状態に指示する信号は、前記外部映像機器の再生を指示する信号であることを特徴とする請求項４に記載のリモコン装置。
【発明の詳細な説明】
【技術分野】
【０００１】
本発明は、ＶＴＲ（ Video Tape Recorder ）やＤＶＤ（ Digital Versatile Disc ）プレーヤ等の機器をＴＶ（ Terevision ）受像機に接続して視聴するリモコン装置に関する。
【背景技術】
【０００２】
従来、ＴＶ（ Terevision ）受像機、ＶＴＲ（ Video Tape Recorder ）やＤＶＤ（ Digital Versatile Disc ）プレーヤ等の機器はＡＶ（ Audio Visual ）機器と称されており、ＶＴＲやＤＶＤプレーヤは、ＴＶ受像機に接続されて使用される。
【０００３】
一般に、ＡＶ機器には、それぞれの個別のリモートコントローラが備えられている。上記リモートコントローラは、所定の機器の操作を手元で行うことを目的とした操作ボタンの集合体であり、先端側には赤外線によりリモコンコード信号を送信するリモコン送信部が設けられている
ユーザは、操作したいＡＶ機器のリモートコントローラ（以下、リモコンと称する）を使用して、ＡＶ機器から離れた位置からリモコンの操作ボタンを操作することで、ＡＶ機器の操作がユーザの手元できる。従って、ユーザは、リモコンを操作することにより、ＡＶ機器に配置された操作ボタンの操作のために、居所を変える煩わしさから解放されている。
【０００４】
ＴＶ受像機に接続されたＶＴＲやＤＶＤプレーヤを操作する場合、ユーザは、先ず、ＴＶ受像機のリモコンを使用してＴＶ受像機を外部入力に切り換え、次に、ＶＴＲやＤＶＤプレーヤ等のリモコンを使用してＶＴＲやＤＶＤプレーヤ等の機器を動作させるようにしている。例えば、ＤＶＤプレーヤを視聴する場合には、ＴＶ受像機の外部入力切り換え操作とＤＶＤプレーヤの再生操作との少なくとも、２回の操作が必要であった。
【０００５】
上述のように、従来は、複数の機器を操作してひとつの動作を行わせようとする場合には、それぞれのリモコンを操作しなければならず、操作における煩わしさや、複数のリモコンを操作することによる誤操作という問題があった。
【０００６】
このような複数のＡＶ機器を制御する従来のリモコン装置は、例えば、特許文献１の特開２００１−１６９３６７号公報に記載されているようにリモコンが、被制御機器（ＴＶ）に対して、他被制御機器（ＶＴＲ，ＤＶＤ）を特定する情報を含む機器状態記憶コマンド及び、他被制御機器を特定する情報を含む機器状態切り替えコマンドを送信し、前記被制御機器が、前記リモコンから前記機器状態記憶コマンドを受信したとき、現在の機器状態を特定する情報に関連付けて記憶し、前記リモコンから前記機器状態切替コマンドを受信したとき、該機器状態切替コマンドにおいて示された他被制御機器を特定する情報に対応付けて記憶しておいた機器状態に、機器の状態を切り換える構成とした装置が提案されている。
【特許文献１】特開２００１−１６９３６７号公報
【発明の開示】
【発明が解決しようとする課題】
【０００７】
しかしながら、上記特許文献１の特開２００１−１６９３６７号公報に記載のリモコン装置は、ＴＶ受像機及びそれに関連付けられて制御されるＶＴＲやＤＶＤレコーダの動作状態を初期設定として記憶する必要があるが、これは実際に機器同志を制御動作上の最終状態に設定し、この状態を記憶するものであるため、関連付け操作の初期設定が煩わしい。
【０００８】
本発明は、上述した点に鑑みてなされたもので、より簡単に初期設定が可能であり、かつ複数のＡＶ機器を関連付けて同時に操作可能なリモコン装置を提供することを目的とする。
【課題を解決するための手段】
【０００９】
請求項１に記載のリモコン装置は、複数の信号入力端子を有し、これら入力端子に供給された信号のいずれかを選択して出力するスイッチ手段を備えたテレビジョン受像機と、前記信号入力端子のいずれかに接続された外部映像機器とをリモコン操作するためのリモコン装置であって、前記テレビジョン受像機の動作を制御可能な第１のリモートコントローラと、前記信号入力端子に接続された外部映像機器の動作を制御可能な第２のリモートコントローラと、前記複数の信号入力端子に供給された信号の内、どの信号を選択出力するかを設定する設定手段と、前記テレビジョン受像機に設けられ、前記第２のリモートコントローラから特定のリモコン信号を受信したとき、前記スイッチ手段を前記設定された状態に切り換えるための入力選択信号に変換して出力する信号生成手段とを具備し、前記第２のリモートコントローラから前記特定のリモコン信号が送信されたとき、前記特定のリモコン信号によって前記外部映像機器の動作を制御するとともに、前記入力選択信号によって前記スイッチ手段を前記設定された状態に切り換えるようにしたことを特徴としている。 
また、請求項４に記載のリモコン装置は、複数の信号入力端子を有し、これら入力端子に供給された信号のいずれかを選択して出力するスイッチ手段を備えたテレビジョン受像機と、前記信号入力端子のいずれかに接続された外部映像機器とをリモコン操作するためのリモコン装置であって、前記テレビジョン受像機の動作を制御可能な第１のリモートコントローラと、前記外部映像機器の動作を制御可能な第２のリモートコントローラと、前記第１のリモートコントローラからの入力選択信号に応答して、前記外部映像機器からの信号を選択出力するように前記スイッチ手段を制御する制御手段と、前記外部映像機器に設けられ、前記第１のリモートコントローラから前記入力選択信号を受信したとき、前記外部映像機器を所定の動作状態に指示する信号に変換して出力する信号生成手段とを具備し、前記第１のリモートコントローラから前記入力選択信号が送信されたとき、前記テレビジョン受像機のスイッチ手段は前記外部映像機器からの信号を選択出力するように切り換わるとともに、前記外部映像機器が所定の動作を実行するようにしたことを特徴としている。
【発明の効果】
【００１０】
本発明のリモコン装置は、１つのリモコンを用いて少なくとも１回の操作により関連付けられた複数のＡＶ機器を同時に操作できるという効果を有する。
【発明を実施するための最良の形態】
【００１１】
以下、図面を参照して本発明の一実施例を説明する。
【実施例１】
【００１２】
図１ないし図６は本発明の一実施例に係り、図１は一実施例のリモコン装置の全体構成図、図２は図１のＴＶ受像機の内部構成を示す回路ブロック図、図３は図２の制御部の制御フローを示すフローチャート、図４はＶＴＲの再生コード信号を外部入力端子（のＥＸＴ２）に割り当てて設定する際のＴＶ受像機の第１の画像表示例、図５はＶＴＲの再生コード信号を外部入力端子（のＥＸＴ２）に割り当てて設定する際のＴＶ受像機の第２の画像表示例、図６はＶＴＲの停止コード信号をＴＶ受像に割り当てて設定する際のＴＶ受像機の画像表示例である。
【００１３】
図１に示すようにリモコン装置１は、ＡＶ（ Audio Visual ）機器として通常のテレビジョン信号を受信可能な被制御機器であるＴＶ（ Terevision ）受像機２と、このＴＶ受像機２の外部入力端子２ａに接続されるＶＴＲ（ Video Tape Recorder ）３ａやＤＶＤ（ Digital Versatile Disc ）プレーヤ３ｂ等の他被制御機器３とを有して構成されている。
【００１４】
例えば、ＴＶ受像機２の外部入力端子２ａ（のＥＸＴ２）には、ＡＶケーブル５ａを介して前記ＶＴＲ３ａが接続されており、また、ＴＶ受像機２の外部入力端子２ａ（のＥＸＴ３）には、ＡＶケーブル５ｂを介して前記ＤＶＤプレーヤ３ｂが接続されている。そして、ＶＴＲ３ａの視聴を行う場合、ＴＶ受像機２には、ＡＶケーブル５ａを介してＶＴＲ３ａの映像音声出力端子からＴＶ受像機２の外部入力端子２ａ（のＥＸＴ２）にＶＴＲ３ａの映像信号と音声信号が送信され、表示画面２ｂにＶＴＲ３ａの映像が表示されると共に、スピーカ２ｃから音声を放音するようになっている。
【００１５】
ここで、一般に、ＡＶ機器には、それぞれの個別のリモコンが備えられている。 
本実施例では、ＶＴＲ用リモコン４を用いて前記ＴＶ受像機２及び前記ＶＴＲ３ａを制御する場合について説明している。
【００１６】
前記ＶＴＲ用リモコン４は、リモコンコード信号を赤外線により送信するリモコン送信部４ａを先端側に備え、前面にはテンキーや再生，停止等の各種操作ボタン４ｂが設けられている。
【００１７】
前記ＴＶ受像機２には、表示画面２ｂの下部に前記ＶＴＲ用リモコン４及び図示していないＴＶ用リモコンからのリモコンコード信号を受信するリモコン受信部２ｄが設けられている。このリモコン受信部２ｄの図中右側には、前記ＴＶ受像機２の各種操作をリモコンに替えてユーザが直接手動により行うための各種操作ボタン１０が設けられており、その中には前記ＴＶ受像機２のリモコン学習モードを起動させるためのリモコン学習モードボタン１０ａが設けられている。 
また、ＶＴＲ３ａには、図示していないがＶＴＲ用リモコン４からのリモコンコード信号を受信して各種動作が行われるようになっている。
【００１８】
図２に示すように前記ＴＶ受像機２には、アンテナ１１に接続されたチューナ１２と、このチューナ１２からの出力信号と、前記外部入力端子２ａに接続された他被制御機器３からの出力信号とを切り換えるためのＡＶ切換スイッチ（ＡＶ／ＳＷ）１３と、前記ＡＶ／ＳＷ１３により切り換えられた信号を信号処理して映像信号及び水平垂直同期信号を生成する映像処理回路１４と、この映像処理回路１４により生成された映像信号及び水平垂直同期信号に基づき、表示部１５を駆動して前記表示画面２ｂに画像表示を行うためのドライバ１６と、前記ＡＶ／ＳＷ１３により切り換えられた信号を信号処理して音声信号を生成する音声処理回路１７と、この音声処理回路１７により生成された音声信号を増幅して前記スピーカ２ｃを駆動するアンプ１８と、チャンネル切換えや外部データ等の情報を記憶しているメモリ１９と、前記チューナ１２、前記ＡＶ切換スイッチ（ＡＶ／ＳＷ）１３、前記映像処理回路１４及び前記音声処理回路１７のそれぞれの駆動を制御する制御部２０とを有して構成されている。
【００１９】
前記制御部２０には、前記チューナ１２を制御するためのチャンネル切換やＡＶ切換スイッチ（ＡＶ／ＳＷ）１３、映像処理回路１４及び音声処理回路１７のそれぞれの制御用データが内蔵されている上に、ＴＶ用リモコンによるリモコン信号の解読等を行い、実行するための制御用データが内蔵されている。
【００２０】
ここで、前記ＴＶ受像機２は、ＴＶ用リモコンの操作により送信されるリモコン信号によって制御部２０が前記チューナ１２、ＡＶ切換スイッチ（ＡＶ／ＳＷ）１３、映像処理回路１４及び音声処理回路１７のそれぞれの制御を行うようになっている。
【００２１】
更に、具体的に説明すると、前記制御部２０は、ＴＶ用リモコンの操作により送信されるリモコン信号によって前記リモコン受信部２ｄにより受信したリモコンコード信号をデコードするデコーダ２１と、このデコーダ２１によりデコードされたリモコンコード信号を格納するリモコンコード信号格納部としてのメモリ２２と、このメモリ２２に格納されたリモコンコード信号と、メモリ１９に記憶されているリモコンコードとそれらリモコンコードの操作及び制御データの情報を参照して、前記チューナ１２、前記ＡＶ切換スイッチ（ＡＶ／ＳＷ）１３、前記映像処理回路１４及び前記音声処理回路１７を制御するＭＰＵ（ Micro Processing Unit ）２３とを有して構成されている。
【００２２】
そして、例えば、ＴＶ用リモコンの操作により、チャンネル切換のために、テンキーのどれかが押下操作されたら、リモコン受信部２ｄが受信した信号をデコーダ２１がデコードし、このデコードされた信号をＭＰＵ２３が解読する。ＭＰＵ２３は、メモリ１９に記憶されているチャンネルの情報を参照して、チューナ１２にチャンネル信号を出力してチューナ１２を制御し、チャンネル切換を行うようになっている。
【００２３】
そして、ＴＶ受像機２は、アンテナ１１により受信したテレビジョン信号がチューナ１２により復調再生され、ＡＶ／ＳＷ１３により切り換えられて映像処理回路１４により例えば輝度信号増幅や色信号増幅及びマトリクス処理等の映像信号処理が施されて映像信号及び水平垂直同期信号が生成されると共に、音声処理回路１７により音声信号が生成される。そして、ＴＶ受像機２は、映像処理回路１４からの映像信号及び水平垂直同期信号に基づき、ドライバ１６が表示部１５を駆動して表示画面２ｂに画像表示が行われると共に、音声処理回路１７により所定の処理を施された音声信号がアンプ１８で増幅されてスピーカ１４から放音されるようになっている。
【００２４】
また、外部入力端子２ａに接続されたＶＴＲ３ａ等の他被制御機器３を視聴する際には、ＴＶ受像機２は、ＡＶ／ＳＷ１３により切り換えられて以降、上述したＴＶ受像機２の場合と同様に処理され、表示画面２ｂに画像表示が行われると共に、スピーカ１４から放音されるようになっている。
【００２５】
また、前記制御部２０には、リモコン学習機能が内蔵されている。このリモコン学習機能は、ユーザによって前記リモコン学習モードボタン１０ａが押下操作された際に起動されるものであり、外部入力端子２ａに接続されるＶＴＲ３ａ、ＤＶＤプレーヤ３ｂ等の他被制御機器３を認識記憶させる機能である。
【００２６】
本実施例では、例えば、ＶＴＲ用リモコン４を用いてＶＴＲ３ａもＴＶ受像機２も共に操作できるように、前記リモコン学習機能を用いて設定するようにしている。 
このリモコン学習機能を用いたＶＴＲ用リモコン４を用いてＶＴＲ３ａとＴＶ受像機２を共に操作する制御フローを図３を用いて説明する。
【００２７】
先ず、ユーザは、最初にＴＶ受像機２の外部入力端子２のＥＸＴ２にＶＴＲ３ａを接続した後、ＴＶ受像機２のリモコン学習モードボタン１０ａを押下操作して、ＴＶ受像機２をリモコン学習モードに設定する（ステップＳ１）。すると、制御部２０は、ＴＶ受像機２をリモコン学習モードに切り換える。
【００２８】
そして、ユーザは、ＴＶ受像機２をリモコン学習モードに設定した後、ＶＴＲ用リモコン４を操作して、例えば、ＶＴＲ用リモコン４の「再生」ボタンを押下操作する。すると、ＶＴＲ用リモコン４は、リモコン送信部４ａから再生コード信号を送信する。
【００２９】
このＶＴＲ用リモコン４からの再生コード信号をＴＶ受像機２のリモコン受信部２ｄにより受信し（ステップＳ２）、制御部２０は、受信した再生コード信号をデコーダ２１によりデコードしてメモリ２２に格納して記憶する（ステップＳ３）。
【００３０】
次に、ＶＴＲ３ａを操作するＶＴＲ用リモコン４からの「再生」ボタンによる再生コード信号を受信すると、ＴＶ受像機２のＡＶ／ＳＷ１３を「ＥＸＴ２切換え」という機能に設定する必要がある。
【００３１】
そこで、メモリ２２に記憶した再生コード信号を外部入力端子２ａ（のＥＸＴ２）に割り当てて設定する（ステップＳ４）ために、ユーザはＴＶ用リモコンを用いてリモコン命令設定画面をＴＶ受像機２の表示画面２ｂに表示させる。
【００３２】
図４及び図５は、上記操作を示すＴＶ受像機２の表示画面２ｂの一例である。 
図４に示すようにユーザは、リモコン命令設定画面を表示させ、その画面に従い、図示していないＴＶ用リモコンのアップボタン▲，ダウンボタン▼により「ＥＸＴ２切換え」を選択する。尚、図中、矢印は、ユーザの選択位置を示している。
【００３３】
そして、図５に示すようにユーザは、選択した「ＥＸＴ２切換え」を、ＴＶ用リモコンの図示しない決定ボタンにより決定する。尚、図中、点線は、「ＥＸＴ２切換え」が決定されたことを示している。
【００３４】
上記ユーザの操作により、制御部２０は、ＶＴＲ用リモコン４からの再生コード信号を外部入力端子２ａ（のＥＸＴ２）に割り当てる（ステップＳ４）。 
これにより、本実施例では、ＶＴＲ用リモコン４の「再生」ボタンを、ＴＶ受像機２の「ＥＸＴ２切換え」という機能に設定させたこととなり、ＶＴＲ用リモコン４の「再生」ボタンが押下操作された際に、ＶＴＲ３ａを再生状態にすると共に、このＶＴＲ３ａの再生状態に同期してＴＶ受像機２がＶＴＲ３ａの接続された外部入力端子２のＥＸＴ２の入力に自動で切り換わるようになる。
【００３５】
そして、ＶＴＲ３ａからは、外部出力端子２ａ（のＥＸＴ２）を介して映像信号と音声信号がＴＶ受像機２へ出力され、ＴＶ受像機２は、ＶＴＲ３ａからの映像が表示画面２ｂに表示され、ＶＴＲ３ａからの音声がスピーカ２ｃから放音される。
【００３６】
また、以下に記載するように前記ＶＴＲ用リモコン４の「停止」ボタンが押下操作されたとき、前記ＴＶ受像機２を前記外部入力端子２ａ（のＥＸＴ２）との接続の状態から元のチューナ１２からの出力信号による受像状態に戻す操作も可能である。
【００３７】
この場合、上述したのと同様に、先ず、ユーザは、ＴＶ受像機２のリモコン学習モードボタン１０ａを押下操作して、ＴＶ受像機２をリモコン学習モードに設定する（ステップＳ１）。すると、制御部２０は、ＴＶ受像機２をリモコン学習モードに切り換える。
【００３８】
そして、ユーザは、ＴＶ受像機２をリモコン学習モードに設定した後、ＶＴＲ用リモコン４を操作して、例えば、ＶＴＲ用リモコン４の「停止」ボタンを押下操作する。すると、ＶＴＲ用リモコン４は、リモコン送信部４ａから停止コード信号を送信する。
【００３９】
このＶＴＲ用リモコン４からの停止コード信号をＴＶ受像機２のリモコン受信部２ｄにより受信し（ステップＳ２）、制御部２０は、受信した停止コード信号をデコーダ２１によりデコードしてメモリ２２に格納して記憶する（ステップＳ３）。
【００４０】
次に、ＶＴＲ用リモコン４からの「停止」ボタンによる停止コード信号を受信すると、ＶＴＲ３ａが接続されたＡＶ／ＳＷ１３をＴＶ受像機２の「ＴＶ受像」という機能に設定する必要がある。 
そこで、メモリ２２に記憶した停止コード信号をＴＶ受像機２の「ＴＶ受像」に割り当てて設定する（ステップＳ４）ために、ユーザはＴＶ用リモコンを用いてリモコン命令設定画面をＴＶ受像機２の表示画面２ｂに表示させる。
【００４１】
図６は、上記操作を示すＴＶ受像機２の表示画面２ｂの一例である。 
ここで、ユーザは、リモコン命令設定画面に従い、ＴＶ用リモコンの図示しないアップボタン▲，ダウンボタン▼により「ＴＶ受像」を選択し、図６に示すように選択した「ＴＶ受像」を、ＴＶ用リモコンの図示しない決定ボタンにより決定する。尚、図中、点線は、「ＴＶ受像」が決定されたことを示している。
【００４２】
上記ユーザの操作により、制御部２０は、ＶＴＲ用リモコン４からの停止コード信号を外部入力端子２ａとＶＴＲ３ａが接続されているＥＸＴ２からＴＶ受像機２の「ＴＶ受像」に割り当てる（ステップＳ４）。
【００４３】
これにより、本実施例では、ＶＴＲ用リモコン４の「停止」ボタンを、ＴＶ受像機２の「ＴＶ受像」という機能に設定させたこととなり、ＶＴＲ用リモコン４の「停止」ボタンが押下操作された際に、ＶＴＲ３ａの再生状態が停止し、同時にＴＶ受像機２も元のＴＶチャンネル受像状態に自動で切り換わるようになる。 
そして、ＴＶ受像機２は、アンテナ１１により受信したテレビジョン信号がチューナ１２から出力され、放送映像が表示画面２ｂに表示され、音声がスピーカ２ｃから放音される。
【００４４】
これにより、例えば、ＴＶチャンネルを視聴していたユーザは、ＶＴＲ３ａの「再生」ボタンを押下操作することにより、ＶＴＲ３ａの接続された外部入力端子２ａ（のＥＸＴ２）に自動で入力が切り換わってＶＴＲ３ａの映像や音声を楽しむことができ、また、ＶＴＲ用リモコン４の「停止」ボタンを押下操作することで、ＶＴＲ３ａの再生状態が停止し、同時にＴＶ受像機２も元のＴＶチャンネル受像状態に戻ることができる。
【００４５】
従って、本実施例によれば、記憶保存されたリモコンコード信号をＴＶ受像機２のどの機能に割り当てるかは自由であり、想定される機能を予め、メニュー画面に表示するようにしておけば、ユーザは、他のリモコン操作に同期して実行される所望の動作を自由に設定でき、リモコン４の利便性が向上する。
【００４６】
尚、本実施例では、同時に実行される機能を一つの場合に想定しているが、２つ以上の操作を行うことも当然、可能である。例えば、上述した例は、ＴＶ受像機２の電源がオンされている状態において説明しているが、電源のオン／オフも前記リモコン４の操作に同期させて実行させることも可能である。
【００４７】
この場合、上述の方法とほぼ同等であり、保存されたリモコンコード信号をユーザメニュー画面から、ＴＶ受像機２の電源オン、外部入力の切り換えという２つの機能に割り当てるようになっている。
【００４８】
そして、割り当て後、ユーザは、ＶＴＲ３ａの電源を投入し、ビデオテープをＶＴＲ３ａにセットする。すると、ＴＶ受像機２は、ＶＴＲ３ａの接続された外部入力端子２ａ（のＥＸＴ２）に自動で入力が切り換わって、ＶＴＲ３ａの映像と音声を楽しむといった使い方が可能である。
【００４９】
尚、本実施例では、ＶＴＲ用リモコン４を用いてＶＴＲ３ａもＴＶ受像機２も共に操作できるように、ＶＴＲ３ａの機能にＴＶ受像機２の機能を連動させることを想定して説明しているが、逆に、ＴＶ受像機２のＴＶ用リモコンを用いてＶＴＲ３ａもＴＶ受像機２も共に操作できるように、ＴＶ受像機２の機能にＶＴＲ３ａの機能を連動させることも可能である。 
この場合、ＶＴＲ３ａは、上記制御フローとほぼ同様な制御を実行するための図示しない制御部を有して構成されている。
【００５０】
先ず、ユーザは、ＶＴＲ３ａのリモコン学習モードボタンを押下操作して、ＶＴＲ３ａをリモコン学習モードに設定する。すると、ＶＴＲ３ａの制御部は、リモコン学習モードに切り換える。
【００５１】
そして、ユーザは、ＶＴＲ３ａをリモコン学習モードに設定した後、ＴＶ用リモコンを操作して、例えば、ＴＶ用リモコンのＡＶ／ＳＷ１３の選択切換のために「ＥＸＴ２」ボタンを押下操作する。すると、ＴＶ用リモコン用からＥＸＴ２コード信号を送信する。
【００５２】
このＴＶ用リモコンからのＥＸＴ２コード信号をＶＴＲ３ａのリモコン受信部により受信し、制御部は、受信したＥＸＴ２コード信号をデコーダによりデコードしてメモリに格納して記憶する。
【００５３】
次に、ＴＶ用リモコンの「ＥＸＴ２」ボタンを、ＶＴＲ３ａの「再生」という機能に設定する必要がある。 
そこで、ＶＴＲ３ａのメモリに記憶したＥＸＴ２コード信号をＶＴＲ３ａの「再生」に割り当てて設定する（ステップＳ４）ために、ユーザはＴＶ用リモコンを用いてリモコン命令設定画面をＴＶ受像機２の表示画面２ｂに表示させる。
【００５４】
ここで、ユーザは、リモコン命令設定画面に従い、ＶＴＲ用リモコン４の図示しないアップボタン▲，ダウンボタン▼により「再生」を選択し、選択した「再生」を、ＶＴＲ用リモコンの図示しない決定ボタンにより決定する。
【００５５】
上記ユーザの操作により、制御部は、ＥＸＴ２コード信号をＶＴＲ３ａの「再生」に割り当てる。 
これにより、ＴＶ用リモコンの「ＥＸＴ２」ボタンを、ＶＴＲ３ａの「再生」という機能に設定しているので、ＴＶ用リモコンの「ＥＸＴ２」ボタンが押下操作された際に、ＴＶ受像機２のＡＶ／ＳＷ１３はＥＸＴ２に接続され、このＴＶ受像機２のＥＸＴ２に同期してＶＴＲ３ａが再生動作するようになる。
【００５６】
これにより、例えば、ＴＶ受像機２の外部入力ボタンを押下操作し、ＶＴＲ３ａの接続されたチャンネルを選択したとき、ＶＴＲ３ａの電源が投入され、同時にＶＴＲ３ａが再生モードになるといった使い方も可能である。
【００５７】
この結果、本実施例のリモコン装置１は、１つのリモコンを用いて簡単な操作により複数のＡＶ機器を関連付けて同時に操作できる。
【００５８】
尚、本発明は、以上述べた実施例のみに限定されるものではなく、発明の要旨を逸脱しない範囲で種々変形実施可能である。
【図面の簡単な説明】
【００５９】
【図１】一実施例のリモコン装置の全体構成図である。
【図２】図１のＴＶ受像機の内部構成を示す回路ブロック図である。
【図３】図２の制御部の制御フローを示すフローチャートである。
【図４】ＶＴＲの再生コード信号を外部入力端子（のＥＸＴ２）に割り当てて設定する際のＴＶ受像機の第１の画像表示例である。
【図５】ＶＴＲの再生コード信号を外部入力端子（のＥＸＴ２）に割り当てて設定する際のＴＶ受像機の第２の画像表示例である。
【図６】ＶＴＲの停止コード信号をＴＶ受像に割り当てて設定する際のＴＶ受像機の画像表示例である。
【符号の説明】
【００６０】
１  リモコン装置
２  ＴＶ受像機
２ａ  外部入力端子
２ｂ  表示画面
２ｃ  スピーカ
２ｄ  リモコン受信部
３  他被制御機器
３ａ  ＶＴＲ
３ｂ  ＤＶＤプレイヤー
４  ＶＴＲ用リモコン
４ａ  リモコン送信部
１０ａ  リモコン学習モードボタン
１３  ＡＶ切換スイッチ（ＡＶ／ＳＷ）
２０  制御部
２１  デコーダ
２２  メモリ
２３  ＭＰＵ
代理人    弁理士    伊藤  進
【図１】
2005198036.tif 000003
【図２】
2005198036.tif 000004
【図３】
2005198036.tif 000005
【図４】
2005198036.tif 000006
【図５】
2005198036.tif 000007
【図６】
2005198036.tif 000008